(57)【要約】【課題】軽量で施工性と耐候性に優れた遮音性ベランダ構造を提供する。【解決手段】建物外側に設けられるベランダ構造であって、建物外部２２の騒音を反射する第１反射面１０をベランダ天井面１２に備え、騒音の直接波Ｗの伝搬方向に対する第１反射面１０の傾斜角度θを９０度以上に設定するとともに、第１反射面１０を、軽量で耐候性を有する面材で構成した。ここで、ベランダ手摺り２４による騒音の回折波Ｄを反射する第２反射面２０をベランダ天井面１２にさらに備え、この第２反射面２０を、側面視で凹弧状に設定し、軽量で耐候性を有する面材で構成してもよい。【選択図】図１
2010270445.tif 000002
【特許請求の範囲】
【請求項１】
建物外側に設けられるベランダ構造であって、前記建物外部の騒音を反射する第１反射面を前記ベランダ天井面に備え、前記騒音の直接波の伝搬方向に対する前記第１反射面の傾斜角度を９０度以上に設定するとともに、
前記第１反射面を、軽量で耐候性を有する面材で構成したことを特徴とする遮音性ベランダ構造。
【請求項２】
前記ベランダに設置されたベランダ手摺りによる前記騒音の回折波を反射する第２反射面を前記ベランダ天井面にさらに備え、前記第２反射面を、側面視で凹弧状に設定し、軽量で耐候性を有する面材で構成したことを特徴とする請求項１に記載の遮音性ベランダ構造。
【請求項３】
前記第１反射面および前記第２反射面を構成する面材を接合する接合部材をさらに備え、前記接合部材は、前記面材を前記接合部材内に差込可能な差込口を有することを特徴とする請求項２に記載の遮音性ベランダ構造。
【請求項４】
前記第２反射面を、前記ベランダ手摺りの端部を中心とする円弧状に設定したことを特徴とする請求項２または３に記載の遮音性ベランダ構造。
【請求項５】
前記第２反射面にアルミ材またはボード材を用いることを特徴とする請求項２〜４のいずれか一つに記載の遮音性ベランダ構造。
【請求項６】
前記第１反射面にアルミ材またはコンクリート材を用いることを特徴とする請求項１〜５のいずれか一つに記載の遮音性ベランダ構造。
【発明の詳細な説明】
【技術分野】
【０００１】
本発明は、集合住宅やオフィスビル等の建築物における室内の静音性を保つためのベランダ構造であって、屋外騒音に対して遮音性能を有する遮音性ベランダ構造に関するものである。
【背景技術】
【０００２】
近年、幹線道路・鉄道に近接した場所に、高層の集合住宅やオフィスビルなどの建築物が多く建設されてきている。このような立地環境にあっては、幹線道路・鉄道等からの屋外騒音が建築物の外壁面を介して居室内に伝搬し易いことから、如何にして居室内の静音性を確保するかが問題となっている。
【０００３】
建築物がベランダを有する場合には、屋外騒音はベランダを介して窓面から建築物内部に伝搬する。したがって、居室内の静音性を確保するために、ベランダの手摺りの立ち上がり部分をコンクリートや樹脂等で構成し、屋外の騒音源から窓面に直接伝搬する騒音を遮蔽することが考えられる。しかし、このようにしても、手摺り上方の開口から伝搬する騒音や、手摺り上端で回折して伝搬する騒音を遮蔽することは難しく、大きな騒音低減効果は期待できない。
【０００４】
そこで、ベランダに反射体等を設け、屋外騒音の進入を妨げる遮音性ベランダ構造がいくつか提案されている。例えば、特許文献１および２には、ベランダ天井面を屋外側へ傾斜させた構造とすることや、鋸状断面の反射体を天井面に取り付けることが提案されている。また、特許文献３および４には、ベランダ天井面に吸音材を設け、居室内へ伝搬する騒音を低減することが提案されている。特許文献３には、ベランダの手摺り上端に吸音材を取り付け、居室内へ伝搬する屋外騒音を低減することが提案されている。
【０００５】
これに対し、本件特許出願人の一人は、特願２００８−２２１９８３に示す天井反射体による遮音性ベランダ構造を提供している。図９に示すように、この遮音性ベランダ構造は、ベランダ天井面３に反射体１および反射体２を設けたものであり、反射体１は平面状の反射面１ａを、反射体２は円弧面状の反射面２ａを有している。反射面１ａの傾斜角度（θａ）は、屋外４からの騒音の直接波Ｗの伝搬方向（入射角θ）に対してなす角度を９０度以上にしてある。また、反射面２ａの円弧の中心は、床面５に設けたベランダ手摺り６の上端の回折点Ｃとしてある。
【０００６】
この構成において、屋外４の騒音源からベランダ天井面３に入射する騒音は、直接波Ｗについては反射面１ａで屋外４に反射され、回折波Ｄについては反射面２ａで屋外４に反射される。こうすることで、天井面３で反射して窓開口７へ伝搬する騒音を遮蔽し、居室８内の騒音を低減している。なお、この内容については、非特許文献１において既に公表している。
【先行技術文献】
【特許文献】
【０００７】
【特許文献１】特開２００４−１６２２７４号公報
【特許文献２】特開２００６−２６５８３９号公報
【特許文献３】特開２００３−４１６８０号公報
【特許文献４】特開２００２−３３２７０１号公報
【非特許文献】
【０００８】
【非特許文献１】「騒音源に隣接する高層建築物における室内騒音低減に関する研究」、石塚崇、藤原恭司、社団法人日本建築学会、２００８年度大会（中国）学術講演梗概集  建築デザイン発表梗概集、２００８年７月
【発明の概要】
【発明が解決しようとする課題】
【０００９】
ところで、上記の特願２００８−２２１９８３の遮音性ベランダ構造を実際に施工するにあたり、以下の問題が生じる。
【００１０】
反射体をベランダ天井面に取り付けるため、反射体の重量が大きいと片持ち梁構造のベランダに働く荷重が増加してしまい、ベランダを支持する支持部の補強が必要になる。また、反射体の重量が大きいと建物全体の荷重が増えるので、結果として建設コスト全体のアップに繋がる。さらに、重量物を天井面へ取り付ける際の施工性は悪く、建物の外壁での作業は高層階の場合には高所作業となるので危険性が高い。また、反射体は建物の外壁に取り付けるので、耐候性を具備する必要がある。
【００１１】
本発明は、上記に鑑みてなされたものであって、軽量で施工性と耐候性に優れた遮音性ベランダ構造を提供することを目的とする。
【課題を解決するための手段】
【００１２】
上記した課題を解決し、目的を達成するために、本発明の請求項１に係る遮音性ベランダ構造は、建物外側に設けられるベランダ構造であって、前記建物外部の騒音を反射する第１反射面を前記ベランダ天井面に備え、前記騒音の直接波の伝搬方向に対する前記第１反射面の傾斜角度を９０度以上に設定するとともに、前記第１反射面を、軽量で耐候性を有する面材で構成したことを特徴とする。
【００１３】
また、本発明の請求項２に係る遮音性ベランダ構造は、上述した請求項１において、前記ベランダに設置されたベランダ手摺りによる前記騒音の回折波を反射する第２反射面を前記ベランダ天井面にさらに備え、前記第２反射面を、側面視で凹弧状に設定し、軽量で耐候性を有する面材で構成したことを特徴とする。
【００１４】
また、本発明の請求項３に係る遮音性ベランダ構造は、上述した請求項２において、前記第１反射面および前記第２反射面を構成する面材を接合する接合部材をさらに備え、前記接合部材は、前記面材を前記接合部材内に差込可能な差込口を有することを特徴とする。
【００１５】
また、本発明の請求項４に係る遮音性ベランダ構造は、上述した請求項２または３において、前記第２反射面を、前記ベランダ手摺りの端部を中心とする円弧状に設定したことを特徴とする。
【００１６】
また、本発明の請求項５に係る遮音性ベランダ構造は、上述した請求項２〜４のいずれか一つにおいて、前記第２反射面にアルミ材またはボード材を用いることを特徴とする。
【００１７】
また、本発明の請求項６に係る遮音性ベランダ構造は、上述した請求項１〜５のいずれか一つにおいて、前記第１反射面にアルミ材またはコンクリート材を用いることを特徴とする。
【発明の効果】
【００１８】
本発明によれば、建物外側に設けられるベランダ構造であって、前記建物外部の騒音を反射する第１反射面を前記ベランダ天井面に備え、前記騒音の直接波の伝搬方向に対する前記第１反射面の傾斜角度を９０度以上に設定するとともに、前記第１反射面を、軽量で耐候性を有する面材で構成したので、軽量で施工性と耐候性に優れた遮音性ベランダ構造を提供することができるという効果を奏する。
【図面の簡単な説明】
【００１９】
【図１】図１は、本発明に係る遮音性ベランダ構造の実施例１を示す側断面図である。
【図２】図２は、図１の部分Ａの部分拡大図である。
【図３】図３は、図１の部分Ｂの部分拡大図である。
【図４】図４は、本発明に係る遮音性ベランダ構造の実施例２を示す側断面図である。
【図５】図５は、図４の部分Ａの部分拡大図である。
【図６】図６は、図４の部分Ｂの部分拡大図である。
【図７】図７は、本発明に係る遮音性ベランダ構造の実施例３を示す側断面図である。
【図８】図８は、本発明に係る遮音性ベランダ構造の実施例３の変形例を示す側断面図である。
【図９】図９は、従来の遮音性ベランダ構造の一例を示す側断面図である。
【発明を実施するための形態】
【００２０】
以下に、本発明に係る遮音性ベランダ構造の実施例（実施例１〜３）を図面に基づいて詳細に説明する。ここで、本発明に係る遮音性ベランダ構造は、高層建築物の各階の外壁面に設けられ、この建築物の斜め下方には騒音源となる道路・鉄道が敷設されているものとする。なお、この実施例によりこの発明が限定されるものではない。
【００２１】
（実施例１）
まず、実施例１について説明する。図１は、実施例１を示す側断面図である。
図１に示すように、実施例１の遮音性ベランダ構造１００は、ベランダ天井面１２と床面１４と居室１６の窓開口１８と、床面１４から上方に延びる板状のベランダ手摺り２４とを有し、側断面視で略コの字状に形成された建築物のベランダである。ベランダ天井面１２の屋外２２側には平面状のアルミ材１０（第１反射面）が設けてあり、ベランダ天井面１２の居室１６側には円弧面状のアルミ材２０（第２反射面）が設けてある。
【００２２】
アルミ材１０，２０は、軽量で耐候性を有するものである。アルミ材１０の居室１６側の端部１０ａと、アルミ材２０の屋外２２側の端部２０ａは、傾斜材３０で接続されており、円弧面状のアルミ材２０は水平材２８を介して窓開口１８の上端に連結してある。水平材２８および傾斜材３０もアルミ材で構成してある。
【００２３】
アルミ材１０と傾斜材３０は接合部材３４により接合され、傾斜材３０とアルミ材２０は接合部材３６により接合される。アルミ材２０と水平材２８は接合部材３８により接合される。また、アルミ材１０の屋外２２側の端部１０ｂは、図３に示すように、側面視でくの字状の接合部材３２を介してベランダスラブ１１の前面に連結されている。一方、水平材２８の居室１６側の端部は、側面視でＬ字状の接合部材４０を介して窓開口１８の上端に連結されている。接合部材３２，３４，３６，３８，４０は、アルミ製の部材であり、アルミ材を保持するのに十分な強度を持たせてある。
【００２４】
図２の部分拡大図に示すように、接合部材３４は、両端にアルミ材を差込可能な差込口３４１，３４２を有する側面視でＬ字状の部材である。差込口３４１，３４２にアルミ材１０の端部１０ａと傾斜材３０の端部３０ａをそれぞれ差し込むことで、アルミ材１０と傾斜材３０の接合作業を容易かつ迅速に行えるようにしてある。
【００２５】
また、図３の部分拡大図に示すように、接合部材３２は、一端にアルミ材を差込可能な差込口３２１を有する側面視でくの字状の部材であり、差込口３２１にアルミ材１０の端部１０ｂを差し込むことで、アルミ材１０とベランダスラブ１１の接合作業を容易かつ迅速に行えるようにしてある。
【００２６】
この実施例１の構成によれば、天井面１２に設置される反射面を軽量なアルミ材１０，２０により構成するので、施工性に優れた遮音性ベランダ構造を提供することができる。また、アルミ材は、工場加工が可能であって施工精度に優れ、日光や風雨、気温の変化に耐え得る十分な耐候性も有しており、既存建物に容易に取り付けることができる。さらに、アルミ材は再生可能部材なので、解体時の建設廃棄物の発生を抑制することができる。
【００２７】
アルミ材１０は、屋外２２からの騒音を反射する第１反射面を構成するものであり、騒音源からの騒音が直接入射する屋外２２側の天井面１２に配置される。ベランダへの騒音の直接波Ｗの伝搬方向（水平線となす角度θ）に対するアルミ材１０の反射面の傾斜角度（θａ）は９０度ないし９０度以上に設定してある。このようにすれば、騒音の直接波Ｗはアルミ材１０で反射して騒音源または屋外２２の方向に進むので、ベランダ内に侵入しない。したがって、居室１６内の騒音を低減することができる。
【００２８】
ここで、建築物の中・高層階においては、外部下方の騒音源からある程度離れるため、騒音の直接波Ｗは平面波とみなすことができ、ベランダへの直接波Ｗの入射角度θは、騒音源との位置関係により一意に決まる。また、ベランダ手摺り２４に隠れて騒音源が直接見通せない領域においては、回折波Ｄがベランダ手摺り２４の上端２６の回折点Ｃから放射状にベランダ内に伝搬する。道路や鉄道が建築物近傍にある場合、これら道路や鉄道から発生する騒音が建築物外壁面に入射する騒音の主な成分とみなすことができる。
【００２９】
アルミ材２０は、ベランダ手摺り２４による騒音の回折波Ｄを反射する第２反射面を構成するものであり、回折波Ｄが入射する居室１６側の天井面１２に配置される。その形状は、側面視で手摺り上端２６の回折点Ｃを円の中心とする凹円弧面状としてある。アルミ材２０はアルミ材１０よりも居室１６側に配置し、傾斜材３０は直接波Ｗの伝搬方向と平行にして、アルミ材２０と接続する。手摺り上端２６からベランダ天井面１２側に進む回折波Ｄは、凹円弧面状のアルミ材２０によって円弧の中心すなわち回折点Ｃに向けて確実に反射される。なお、アルミ材２０の反射面形状は直線を組み合わせて円弧を近似した形状としてもよい。
【００３０】
（実施例２）
次に、実施例２について説明する。図４は、実施例２を示す側断面図である。
図４に示すように、実施例２の遮音性ベランダ構造２００は、第１反射面としてのアルミ材１０と、第２反射面としてのボード材５０とを含んで構成される。このように、最も屋外２２側に配置される第１反射面は、雨や直射日光に晒されることから高い耐候性を有するアルミ材で構成し、これ以外の反射面はある程度の耐候性を有するボード材５０で構成する。
【００３１】
ボード材５０としては、軒天の仕上げに用いられる、珪酸カルシウム板（ケイカル板）や無機繊維強化石膏ボード（ＦＧボード）を用いることができる。このボード材５０は、天井面１２側に組んだ天井下地６０に固定するようにする。また、アルミ材１０とボード材５０とを繋ぐ傾斜材５２や、ボード材５０と窓開口１８の上端を連結する水平材５４もボード材により構成する。傾斜材５２および水平材５４についても、天井面１２側に組んだ天井下地６２，６４にそれぞれ固定する。
【００３２】
アルミ材１０と傾斜材５２は接合部材７０により接合され、ボード材５０と水平材５４は接合部材７２により接合される。接合部材７０，７２は、アルミ製の部材であり、アルミ材、ボード材を保持するのに十分な強度を持たせてある。
【００３３】
図５の部分拡大図に示すように、接合部材７０は、両端にアルミ材、ボード材を差込可能な差込口７０１，７０２を有する側面視でＬ字状の部材である。差込口７０１，７０２にアルミ材１０の端部と傾斜材５２の端部をそれぞれ差し込むことで、アルミ材１０と傾斜材５２の接合作業を容易かつ迅速に行えるようにしてある。
【００３４】
また、図６の部分拡大図に示すように、接合部材７２は、両端にボード材を差込可能な差込口７２１，７２２を有する側面視でくの字状の部材であり、差込口７２１，７２２にボード材５０の端部と水平材５４の端部をそれぞれ差し込むことで、ボード材５０と水平材５４の接合作業を容易かつ迅速に行えるようにしてある。
【００３５】
この実施例２の構成によれば、天井面１２に設置される反射面を軽量なアルミ材１０とボード材５０とにより構成するので、施工性に優れた遮音性ベランダ構造を低コストに提供することができる。また、アルミ材は、工場加工が可能であって施工精度に優れ、日光や風雨、気温の変化に耐え得る十分な耐候性も有しており、既存建物に容易に取り付けることができる。特に、アルミ製の接合部材７０，７２および天井下地６０，６２，６４を工場加工することで、十分な施工精度を得ることができる。さらに、アルミ材は再生可能部材なので、解体時の建設廃棄物の発生を抑制することができる。
【００３６】
（実施例３）
次に、実施例３について説明する。図７は、実施例３を示す側断面図である。
図７に示すように、実施例３の遮音性ベランダ構造３００は、環境条件の厳しい最も外側の第１反射面をコンクリート材８０で構成し、第２反射面をアルミ材２０で構成したものである。コンクリート材８０とアルミ材２０は、アルミ材による傾斜材３０で接続される。コンクリート材８０は、プレキャストコンクリート板で構成してもよいし、現場打ちコンクリートとしてもよい。プレキャストコンクリート板で構成する場合には、コンクリート材８０とベランダスラブ１１は接合部材８２で接合する。コンクリート材８０と傾斜材３０は接合部材８４で接合する。接合部材８２，８４は十分な保持強度を有するアルミ製の部材を用いることができる。
【００３７】
また、図８の変形例に示すように、実施例３の変形例の遮音性ベランダ構造３０１は、第１反射面をコンクリート材８０で構成し、第２反射面をボード材５０で構成したものである。コンクリート材８０とボード材５０は、ボード材による傾斜材５２で接続される。コンクリート材８０と傾斜材５２は接合部材８６で接合する。接合部材８６は十分な保持強度を有するアルミ製の部材を用いることができる。
【００３８】
この実施例３の構成によれば、第１反射面をコンクリート材８０で構成するので強度と耐久性とに優れた遮音性ベランダ構造を提供することができる。また、建築物の施工時において地上でベランダを組み立てる際に、コンクリート材による第１反射面を組み込むことが可能であるので、ベランダ外縁での高所作業を減らし、施工の安全性を高めることができる。
【００３９】
上記の実施の形態において、ベランダ手摺り上端２６から屋外２２側に略水平に延出した遮音板を備えてもよい。この遮音板により直接波Ｗがベランダ内に入射する領域が狭まり、第１反射面を構成するアルミ材１０等を小型化することができる。
【００４０】
また、上記の実施の形態において、ベランダの奥行き方向（図１における左右方向）に反射面を複数に分割してもよい。この場合、騒音低減作用を維持しつつ、ベランダの天井高の確保と居室１６内からの眺望の確保とを実現することができる。
【００４１】
また、上記の実施の形態において、第１反射面および第２反射面をアルミ材１０等で構成する場合について説明したが、本発明はこれに限るものではなく、軽量で耐候性を有し、低減対象の騒音に対して十分な反射性能を有していればどのような材質で構成してもよい。また、第２反射面は、ベランダ手摺り上端２６の回折点Ｃを中心とする円弧が最も効果が高いが、ベランダ手摺り上端２６およびそれより屋外２２側の１点を焦点とする楕円弧状の形状でもよい。また、直線を組み合わせてなる上記円弧あるいは楕円弧を近似した形状でもよい。
【００４２】
以上説明したように、本発明に係る遮音性ベランダ構造によれば、建物外側に設けられるベランダ構造であって、前記建物外部の騒音を反射する第１反射面を前記ベランダ天井面に備え、前記騒音の直接波の伝搬方向に対する前記第１反射面の傾斜角度を９０度以上に設定するとともに、前記第１反射面を、軽量で耐候性を有する面材で構成したので、軽量で施工性と耐候性に優れた遮音性ベランダ構造を提供することができるという効果を奏する。
【産業上の利用可能性】
【００４３】
以上のように、本発明に係る遮音性ベランダ構造は、ベランダを有する高層の集合住宅やオフィスビル等の建築物における室内の遮音対策に有用であり、特に、幹線道路・鉄道などに近接して立地する集合住宅やオフィスビルの室内の静音性を確保するのに適している。
【符号の説明】
【００４４】
１０  アルミ材（第１反射面）
１１  ベランダスラブ
１２  ベランダ天井面
１４  床面
１６  居室
１８  窓開口
２０  アルミ材（第２反射面）
２２  屋外
２４  ベランダ手摺り
２６  ベランダ手摺り上端
２８，５４  水平材
３０，５２  傾斜材
３２，３４，３６，３８，４０，７０，７２，８２，８４，８６  接合部材
５０  ボード材（第２反射面）
６０，６２，６４  天井下地
８０  コンクリート材（第１反射面）
３２１，３４１，３４２，７０１，７０２，７２１，７２２  差込口
１００，２００，３００，３０１  遮音性ベランダ構造
Ｗ  騒音の直接波
Ｄ  騒音の回折波
Ｃ  回折点
【図１】
2010270445.tif 000003
【図２】
2010270445.tif 000004
【図３】
2010270445.tif 000005
【図４】
2010270445.tif 000006
【図５】
2010270445.tif 000007
【図６】
2010270445.tif 000008
【図７】
2010270445.tif 000009
【図８】
2010270445.tif 000010
【図９】
2010270445.tif 000011